(57)【要約】【課題】油汚染土壌に土壌中の石油分解菌の生育及び活性を促す栄養剤を混合して土壌パイルを作り、空気注入設備により土壌パイルの内部に石油分解菌を活性化するために必要な空気を注入し、水分補給設備により土壌パイルの表面に石油分解菌を活性化するために必要な水分を補給し、石油分解菌の働きを活性化させ、石油分解菌の働きにより油汚染土壌中の油分を分解除去することができ、土壌に染み込んだ油分を分解除去することができ、公害の発生や資産価値の低下を回避することができ、油汚染土壌の浄化処理能力を高めることができる。【解決手段】油汚染土壌に土壌中の石油分解菌の生育及び活性を促す栄養剤を混合して土壌パイルを作る土壌処理場１と、土壌パイルの内部に石油分解菌を活性化するために必要な空気を注入する空気注入設備２と、土壌パイルの表面に石油分解菌を活性化するために必要な水分を補給する水分補給設備３とを備えてなる。【選択図】　　　　図１
2004136224.tif 000002
【特許請求の範囲】
【請求項１】
油汚染土壌に土壌中の石油分解菌の生育及び活性を促す栄養剤を混合して土壌パイルを作り、該土壌パイルの内部に石油分解菌を活性化するために必要な空気を注入すると共に土壌パイルの表面に石油分解菌を活性化するために必要な水分を補給し、かつ、該土壌パイルを石油分解菌の活性に適する温度に維持し、該石油分解菌の働きにより油汚染土壌中の油分を分解除去することを特徴とする油汚染土壌浄化処理方法。
【請求項２】
上記土壌パイルを石油分解菌の活性化に適する温度に維持することを特徴とする請求項１記載の油汚染土壌浄化処理方法。
【請求項３】
上記油汚染土壌に微生物製剤を混合することを特徴とする請求項１又は２記載の油汚染土壌浄化処理方法。
【請求項４】
上記油汚染土壌に腐葉土を混合することを特徴とする請求項１〜３のいずれか１項に記載の油汚染土壌浄化処理方法。
【請求項５】
上記油汚染土壌に消石灰を混合することを特徴とする１〜３のいずれか１項に記載の油汚染土壌浄化処理方法。
【請求項６】
油汚染土壌に土壌中の石油分解菌の生育及び活性を促す栄養剤を混合して土壌パイルを作る土壌処理場と、該土壌パイルの内部に石油分解菌を活性化するために必要な空気を注入する空気注入設備と、該土壌パイルの表面に石油分解菌を活性化するために必要な水分を補給する水分補給設備とを備えたことを特徴とする油汚染土壌浄化処理設備。
【請求項７】
上記土壌パイルを石油分解菌の活性化に適する温度に維持する温度維持設備を備えたことを特徴とする請求項６記載の油汚染土壌浄化処理設備。
【発明の詳細な説明】
【０００１】
【発明の属する技術分野】
本発明は例えば石油製品を扱う工場跡地の土壌に染み込んだ油分を分解除去する際に用いられる油汚染土壌浄化処理方法及びその設備に関するものである。
【０００２】
【従来の技術】
この種の石油製品を扱う工場跡地の再開発に問題となるのが土壌に染み込んだ油分であり、この油分が公害の原因となったり、資産価値を低下させたりすることがあり、このための油分除去手段として、油汚染土壌を焼却する構造のものが知られている。
【０００３】
【発明が解決しようとする課題】
しかしながら上記従来構造の場合、高価な焼却設備が必要となったり、大量の油汚染土壌に対応することができないことがあるという不都合を有している。
【０００４】
【課題を解決するための手段】
本発明はこのような課題を解決することを目的とするもので、本発明のうちで、請求項１記載の方法の発明は、油汚染土壌に土壌中の石油分解菌の生育及び活性を促す栄養剤を混合して土壌パイルを作り、該土壌パイルの内部に石油分解菌を活性化するために必要な空気を注入すると共に土壌パイルの表面に石油分解菌を活性化するために必要な水分を補給し、かつ、該土壌パイルを石油分解菌の活性に適する温度に維持し、該石油分解菌の働きにより油汚染土壌中の油分を分解除去することを特徴とする油汚染土壌浄化処理方法にある。
【０００５】
又、請求項２記載の方法の発明は、上記土壌パイルを石油分解菌の活性化に適する温度に維持することを特徴とするものであり、又、請求項３記載の方法の発明は、上記油汚染土壌に微生物製剤を混合することを特徴とするものであり、又、請求項４記載の方法の発明は、上記油汚染土壌に腐葉土を混合することを特徴とするものであり、又、請求項５記載の方法の発明は、上記油汚染土壌に消石灰を混合することを特徴とするものである。
【０００６】
又、請求項６記載の装置の発明は、油汚染土壌に土壌中の石油分解菌の生育及び活性を促す栄養剤を混合して土壌パイルを作る土壌処理場と、該土壌パイルの内部に石油分解菌を活性化するために必要な空気を注入する空気注入設備と、該土壌パイルの表面に石油分解菌を活性化するために必要な水分を補給する水分補給設備とを備えたことを特徴とする油汚染土壌浄化処理設備にある。
【０００７】
又、請求項７記載の装置の発明は、上記土壌パイルを石油分解菌の活性化に適する温度に維持する温度維持設備を備えたことを特徴とするものである。
【０００８】
【発明の実施の形態】
図１、図２は本発明の実施の形態例を示し、１は土壌処理場であって、例えば、再開発される工場跡地の近傍や特設地に施工され、この土壌処理場１において、油汚染土壌Ｄに土壌中の石油分解菌の生育及び活性を促す栄養剤Ｅを混合し、この混合土により土壌パイル（畝）Ｗを作ることになる。例えば、図１の如く、二次汚染を防ぐため、先ず、地面Ｇに防油シート１ａを敷設し、この防油シート１ａ上に底辺１，５００ｍｍ、上辺３００ｍｍ、高さ６００ｍｍ程度の台形状の土壌パイルＷを複数列作り、土壌パイルＷの周囲に汚染拡大を防ぐ防油堤Ｂを施工する。
【０００９】
この汚染土壌に混合する栄養剤Ｅとしては、例えば、アンモニア体窒素１２％、硝酸体１３％、リン７％、その他、カリウム、カルシュウム、金属類を米国、オッペンハイマー社製栄養剤等が用いられる。
【００１０】
又、処理検討段階の浄化適応性試験としてのトリビタリー試験の結果により油汚染土壌中に有効な石油分解菌が含まれていないと確認された場合など、必要に応じ、上記油汚染土壌に微生物製剤Ｓを混合することがあり、この微生物製剤とは、油分解作用をもつ天然微生物から作られたもので、油を吸収消化して水と二酸化炭素に分解するものであり、例えば、商品名テラザイム（米国、オッペンハイマー社製）等が用いられる。
【００１１】
又、下記の表１のように、この油汚染土壌が砂質土の場合には、油汚染土壌に例えば容積比で５％程度の腐葉土を混合し、水分と栄養分の保持力を高めることが望ましく、又、この油汚染土壌が粘性土の場合には、上記油汚染土壌に重量比で１〜２％の消石灰を混合し、土壌を粒状化することにより通気性を高めて石油分解菌の活性化を促進させるようにすることが望ましい。
【００１２】
２は空気注入設備であって、この場合、太陽発電パネル２ａからなる電源２ｂ及び商用電源からなる補助電源２ｃによりコンプレサー２ｄを運転し、上記土壌パイルＷの内部に空気注入管２ｄを挿通配置し、コンプレッサー２ｄから例えば、表１のように、直径３０ｍｍ程度の塩化ビニール製の空気注入管２ｅに空気を送り、空気注入管２ｅの管壁の噴出孔２ｆより空気を噴出させ、例えば、１，０００リットル／ｍ３・ｈｒ程度の空気量を土壌パイルＷの内部に注入し、石油分解菌を活性化するために必要な空気を注入するように構成している。
【００１３】
３は水分補給設備であって、この場合、いわゆるスプリンクラーが用いられ、土壌パイルＷの表面に散水パイプ３ａを配置し、例えば毎朝及び毎晩約１０分程度散水し、例えば、表１のように、２〜１０リットル／ｍ３・日程度の水分補給量とし、例えば、土壌の含水比を、砂質土で１０〜１５％、粘性土で１５〜２５％を保つように、石油分解菌を活性化するために必要な水分を補給するように構成している。
【００１４】
４は温度維持設備であって、この場合、ビニールハウスが用いられ、冬期間等の気温が低い場合には、石油分解菌の働きが低下するため、土壌パイルを石油分解菌の活性化に適する温度、例えば、表１のように、１５℃〜４０℃に維持するように構成している。
【００１５】
【表１】
2004136224.tif 000003
【００１６】
この実施の形態例は上記構成であるから、土壌処理場１において、油汚染土壌Ｄに土壌中の石油分解菌の生育及び活性を促す栄養剤Ｅを混合して土壌パイルＷを作り、空気注入設備２により土壌パイルＷの内部に石油分解菌を活性化するために必要な空気を注入し、かつ、水分補給設備３により土壌パイルＷの表面及び又は土中に石油分解菌を活性化するために必要な水分を補給することにより、石油分解菌の働きを活性化させ、この石油分解菌の働きにより油汚染土壌Ｄ中の油分を分解除去することができ、例えば、工場跡地の再開発に問題となる土壌に染み込んだ油分を分解除去することにより公害の発生や資産価値の低下を回避することができ、かつ、設備費用を低減することができると共に油汚染土壌の浄化処理能力を高めることができる。
【００１７】
又、この場合、温度維持設備４により上記土壌パイルＷを石油分解菌の活性化に適する温度に維持することができ、油汚染土壌の一層浄化処理能力を高めることができ、又、上記油汚染土壌に微生物製剤を混合することにより油汚染土壌中の土着微生物に石油分解菌が殆ど含まれていない油汚染土壌の浄化処理も行うことができ、又、上記油汚染土壌に腐葉土を混合することにより水分と栄養分の保持力を高めることができ、砂質土における石油分解菌の活性化を図ることができ、又、上記油汚染土壌に消石灰を混合することにより土壌を粒状化して通気性を高めることができ、石油分解菌の活性化を促進させることができる。
【００１８】
又、浄化処理の均一化を図るため、一回／月程度、耕耘機等により土壌パイルＷの土を耕耘攪拌、いわゆる切り返し工を行うことが望ましい。
【００１９】
【実施例】
【表２】
2004136224.tif 000004
【００２０】
試料として、砂質土にＡ重油を重量比で２％濃度で混合して人工の油汚染土壌を作り、この試料について、表２に示す試料Ａ、Ｂ及びＣの油汚染土壌の浄化状況をノルマルヘキサン注出物質試験した結果、
【００２１】
【表３】
2004136224.tif 000005
【００２２】
浄化処理開始後３ヶ月間で試料Ｂにおいては、７０％の油分（ノルマルヘキサン注出物質）が除去され、浄化目標値の０．１％にほぼ達した。
【００２３】
試料Ａ、Ｂにおいては、３ヶ月経過後、在来植物の発生が認められ、現在群生している。油臭は試料Ａ、Ｂについては殆ど無く、試料Ｃについては未だ強い油臭が残っている。
【００２４】
尚、本発明は上記実施の形態例に限られるものではなく、土壌処理場の構造、栄養剤、微生物製剤の種類、空気注入設備、水分補給設備及び温度維持設備の構造、土壌パイルの大きさや長さ等は適宜変更して設計される。
【００２５】
【発明の効果】
本発明は上述の如く、請求項１及び６記載の発明にあっては、土壌処理場において、油汚染土壌に土壌中の石油分解菌の生育及び活性を促す栄養剤を混合して土壌パイルを作り、空気注入設備により土壌パイルの内部に石油分解菌を活性化するために必要な空気を注入し、かつ、水分補給設備により土壌パイルの表面に石油分解菌を活性化するために必要な水分を補給することにより、石油分解菌の働きを活性化させ、この石油分解菌の働きにより油汚染土壌中の油分を分解除去することができ、土壌に染み込んだ油分を分解除去することにより公害の発生や資産価値の低下を回避することができ、かつ、設備費用を低減することができると共に油汚染土壌の浄化処理能力を高めることができる。
【００２６】
又、請求項２及び７記載の発明にあっては、温度維持設備により上記土壌パイルを石油分解菌の活性化に適する温度に維持することができ、油汚染土壌の一層浄化処理能力を高めることができる。
【００２７】
又、請求項３記載の発明にあっては、上記油汚染土壌に微生物製剤を混合することにより油汚染土壌中の土着微生物に石油分解菌が殆ど含まれていない油汚染土壌の浄化処理も行うことができ、又、請求項４記載の発明にあっては、上記油汚染土壌に腐葉土を混合することにより水分と栄養分の保持力を高めることができ、砂質土における石油分解菌の活性化を図ることができ、又、請求項５記載の発明にあっては、油汚染土壌に消石灰を混合することにより土壌を粒状化して通気性を高めることができ、石油分解菌の活性化を促進させることができる。
【００２８】
以上、所期の目的を充分達成することができる。
【図面の簡単な説明】
【図１】本発明の実施の形態例の説明平面図である。
【図２】本発明の実施の形態例の説明断面図である。
【符号の説明】
１　土壌処理場
２　空気注入設備
３　水分補給設備
４　温度維持設備
【図１】
2004136224.tif 000006
【図２】
2004136224.tif 000007